(57)【要約】【課題】情報案内のためのデータを効率よく取得して、適切な情報を提供可能とする。【解決手段】受信状態検出切換部１６Ａはチューニング回路に指令を送り、ユーザにより指定された放送局を受信対象として呼び出させる。ここで、交通情報データ検出部１６ＣによりＴＭＣデータを受信することができないと判別されると、所定の保持時間経過後、リスト作成部１６Ｂにより作成された放送局リストに登録されている放送局の中で、ユーザにより指定された放送局に基づいて規定される所定の条件に合致するものが検索される。こうして放送局が検出できた場合、受信状態検出切換部１６Ａがチューニング回路に指令を送り、検出された放送局を受信対象として、交通情報データ抽出部１６ＤによりＴＭＣデータを抽出するようにする。【選択図】  図２
2004159106.tif 000002
【特許請求の範囲】
【請求項１】
予め定められたフォーマットでラジオ放送に多重化されて伝送される交通情報データを取得可能な放送局のリストを作成するリスト作成手段と、
前記リスト作成手段により作成されたリストに登録されている放送局を、選択可能に提示する放送局提示手段と、
ラジオ放送に多重化された交通情報データが抽出可能であることを検出するデータ検出手段と、
前記データ検出手段により交通情報データが抽出可能であることが検出された場合に、交通情報データを抽出するデータ抽出手段と、
前記データ抽出手段により抽出された交通情報データに基づく情報出力を実行する情報出力手段と、
前記放送局提示手段に提示されて選択された放送局から放送信号を受信するための受信動作を制御する受信制御手段とを備え、
前記受信制御手段は、前記データ抽出手段が交通情報データの抽出を開始した後、予め定められた受信継続時間が経過すると、前記リスト作成手段により作成されたリストを更新するためのシーク動作を実行する
ことを特徴とするラジオデータ受信システム。
【請求項２】
予め定められたフォーマットでラジオ放送に多重化されて伝送される交通情報データを取得可能な放送局のリストを作成するリスト作成手段と、
前記リスト作成手段により作成されたリストに登録されている放送局を、選択可能に提示する放送局提示手段と、
ラジオ放送に多重化された交通情報データが抽出可能であることを検出するデータ検出手段と、
前記データ検出手段により交通情報データが抽出可能であることが検出された場合に、交通情報データを抽出するデータ抽出手段と、
前記データ抽出手段により抽出された交通情報データに基づく情報出力を実行する情報出力手段と、
前記放送局提示手段に提示されて選択された放送局から放送信号を受信するための受信動作を制御する受信制御手段とを備え、
前記受信制御手段は、前記放送局提示手段に提示されて選択された放送局を受信対象としたときに前記データ検出手段により交通情報データが抽出可能であると検出されない場合に、選択された放送局に基づいて規定される所定の条件に合致する他の放送局を、前記リスト作成手段により作成されたリストにて検索し、条件に合致する他の放送局が登録されている場合に、当該他の放送局を受信対象として前記データ抽出手段に交通情報データを抽出させる
ことを特徴とするラジオデータ受信システム。
【請求項３】
予め定められたフォーマットでラジオ放送に多重化されて伝送される交通情報データを取得可能な放送局のリストを作成するリスト作成手段と、
前記リスト作成手段により作成されたリストに登録されている放送局を、選択可能に提示する放送局提示手段と、
ラジオ放送に多重化された交通情報データが抽出可能であることを検出するデータ検出手段と、
前記データ検出手段により交通情報データが抽出可能であることが検出された場合に、交通情報データを抽出するデータ抽出手段と、
前記データ抽出手段により抽出された交通情報データに基づく情報出力を実行する情報出力手段と、
前記放送局提示手段に提示されて選択された放送局から放送信号を受信するための受信動作を制御する受信制御手段とを備え、
前記受信制御手段は、前記放送局提示手段に提示されて選択された放送局を受信対象としたときに前記データ検出手段により交通情報データが抽出可能であると検出されない場合に、選択された放送局に基づいて規定される所定の条件に合致する他の放送局を、前記リスト作成手段により作成されたリストにて検索し、条件に合致する他の放送局が登録されていないと判別した場合、シーク動作を実行することにより当該条件に合致する放送局を検出し、検出できた場合に、前記データ抽出手段に交通情報データを抽出させる
ことを特徴とするラジオデータ受信システム。
【請求項４】
前記受信制御手段は、所定の条件に合致する放送局を検出するためのシーク動作を開始した後、当該条件に合致する放送局を検出することなく予め定められたシーク継続時間が経過するとシーク動作を中断させ、前記リスト作成手段により作成されたリストを更新させ、更新されたリストに登録された放送局を前記放送局提示手段に提示させる
ことを特徴とする請求項３に記載のラジオデータ受信システム。
【請求項５】
前記リスト作成手段は、予め作成された受信設定情報に示される少なくとも１つの交通情報データが提供されている放送局を、リストに登録する
ことを特徴とする請求項１から４のいずれか１項に記載のラジオデータ受信システム。
【請求項６】
交通情報データを抽出する旨の指令を前記受信制御手段に入力する入力手段を備え、
前記受信制御手段は、既に交通情報データ取得のため以外に放送を受信中である場合には、前記入力手段からの指令が入力されるまで、現状の放送受信動作を継続する
ことを特徴とする請求項１から５のいずれか１項に記載のラジオデータ受信システム。
【請求項７】
交通情報データは、ＲＤＳ（Ｒａｄｉｏ  Ｄａｔａ  Ｓｙｓｔｅｍ）のタイプ８Ａグループに含まれるＴＭＣ（Ｔｒａｆｆｉｃ  Ｍｅｓｓａｇｅ  Ｃｈａｎｎｅｌ）データである
ことを特徴とする請求項１から６のいずれか１項に記載のラジオデータ受信システム。
【請求項８】
ラジオデータ受信システムが交通情報を出力するためのデータ受信方法であって、
前記ラジオデータ受信システムが、
予め定められたフォーマットで放送信号に多重化されて伝送される交通情報データを取得可能な放送局のリストを作成し、
前記リストに登録された放送局を選択可能に提示し、
選択された放送局の放送信号から交通情報データを抽出可能であるか否かを判別し
交通情報データが抽出できないと判別した場合、選択された放送局に基づいて規定される所定の条件に合致する他の放送局が前記リストに登録されているか否かを判別し、
条件に合致する他の放送局が前記リストに登録されていると判別した場合、当該他の放送局の放送信号から交通情報データを抽出可能であるか否かを判別し、
選択された放送局の放送信号あるいは所定の条件に合致する他の放送局の放送信号から交通情報データが抽出できると判別した場合、その放送信号から交通情報データを抽出し
抽出した交通情報データに基づく情報出力を実行する
ことを特徴とするデータ受信方法。
【請求項９】
放送信号から交通情報データの抽出を開始した後、予め定められた受信継続時間が経過すると、シーク動作を実行することにより前記リストを更新する
ことを特徴とする請求項８に記載のデータ受信方法。
【請求項１０】
所定の条件に合致する他の放送局が前記リストに登録されていないと判別した場合、シーク動作を実行することにより当該条件に合致する放送局を検出し、検出できた場合に、検出した放送局の放送信号から交通情報データを抽出することにより交通情報を出力する
ことを特徴とする請求項８又は９に記載のデータ受信方法。
【請求項１１】
所定の条件に合致する放送局を検出するためのシーク動作を開始した後、当該条件に合致する放送局を検出することなく予め定められたシーク継続時間が経過すると、前記リストを更新し、前記リストに登録された放送局を選択可能に提示する
ことを特徴とする１０に記載のデータ受信方法。
【請求項１２】
既に交通情報データのための放送以外の放送を受信中である場合には、所定の操作部から交通情報データの取得指令が入力されるまで、現状の放送受信動作を継続させる
ことを特徴とする請求項８から１１のいずれか１項に記載のデータ受信方法。
【請求項１３】
交通情報データは、ＲＤＳ（Ｒａｄｉｏ  Ｄａｔａ  Ｓｙｓｔｅｍ）のタイプ８Ａグループに含まれているＴＭＣ（Ｔｒａｆｆｉｃ  Ｍｅｓｓａｇｅ  Ｃｈａｎｎｅｌ）データである
ことを特徴とする請求項８から１２のいずれか１項に記載のデータ受信方法。
【請求項１４】
ラジオデータ受信システムとして機能するコンピュータに、
予め定められたフォーマットで放送信号に多重化されて伝送される交通情報データを取得可能な放送局のリストを作成するステップと、
前記リストに登録された放送局を選択可能に提示するステップと、
選択された放送局の放送信号から交通情報データを抽出可能であるか否かを判別するステップと、
交通情報データが抽出できないと判別した場合、選択された放送局に基づいて規定される所定の条件に合致する他の放送局が前記リストに登録されているか否かを判別するステップと、
条件に合致する他の放送局が前記リストに登録されていると判別した場合、当該他の放送局の放送信号から交通情報データを抽出可能であるか否かを判別するステップと、
選択された放送局の放送信号あるいは所定の条件に合致する他の放送局の放送信号から交通情報データが抽出できると判別した場合、その放送信号から交通情報データを抽出するステップと、
抽出した交通情報データに基づく情報出力を実行するステップとを備える処理を
実行させるためのプログラム。
【発明の詳細な説明】
【０００１】
【発明の属する技術分野】
この発明は、ラジオデータ受信システム、データ受信方法及びプログラムに関する。
【０００２】
【従来の技術】
ＴＭＣ（Ｔｒａｆｆｉｃ  Ｍｅｓｓａｇｅ  Ｃｈａｎｎｅｌ）データは、ＲＤＳ（Ｒａｄｉｏ  Ｄａｔａ  Ｓｙｓｔｅｍ）の規格に則ってＦＭ放送に多重化されるデータ（ＲＤＳデータ）のタイプ８Ａグループに含まれる交通情報データである。このＴＭＣデータを利用すると、音声のみで行われていた従来の交通情報の提供に比べて、より多くの情報量を現在の交通状況によりよく適合させて（リアルタイム性を高めて）提供することができる。加えて、ＴＭＣデータを反映した内容を、ナビゲーション装置の表示画面で画像として出力させたり、音声に変換して出力させたりすることもできる。これにより、高度で確実な交通情報がユーザ（例えば、運転者）に提供される。
【０００３】
ここで、単一のチューナ（１系統）でＴＭＣデータを含むＲＤＳデータを受信するとき、ＦＭチューナを通して現在受信しているＦＭ放送にＴＭＣデータが含まれていない場合がある。この場合、ナビゲーション装置からの割り込み処理があると、当該割り込み処理に係る情報案内を行い、割り込み処理がないと、タイマによる所定時間（Ｎ分）経過後に、所定の演算処理に基づいた情報案内を行うようにしている。また、ナビゲーション装置がこうした情報案内を行っている期間中に、ＴＭＣデータを含む放送信号を提供する他の放送局に切り替えて、その放送信号からＴＭＣデータを抽出するようにしている（例えば、特許文献１参照）。
【０００４】
【特許文献１】
特開２００２−２６７５３号公報（第７・８ページ、第３図）
【０００５】
【発明が解決しようとする課題】
単一のチューナ（１系統）でＴＭＣデータを含むＲＤＳデータを受信する場合には、いかに効率よく様々な情報を取得するかが問題となる。
この問題について、上記特許文献１に記載の技術によると、ユーザの操作がないときには、所定時間（Ｎ分）が経過するごとに、強制的に情報案内が行われることになる。そのため、ＦＭ放送（ＦＭ音声放送やＴＭＣ以外のＲＤＳデータ放送）の受聴、受信を重視しているユーザには、かえって違和感を与えることがある。
【０００６】
また、上記特許文献１に記載の技術によると、ＦＭ放送に多重化されたＲＤＳデータからＴＭＣデータを抽出し、その内容の解析が終了するまで、区間案内、交差点案内などの情報案内が行われることとなる。このため、受信状態が悪化するなどしてＴＭＣデータを適切に抽出できないときは、最悪の場合、長時間にわたって情報案内のアナウンスが流れることが予測される。すなわち、情報案内が行われる任意のタイミングで、ＴＭＣデータを正常に受信できなければならないという制約がある。
【０００７】
この発明は、上記実状に鑑みてなされたものであり、情報案内のためのデータを効率よく取得して、適切な情報を提供可能とするラジオデータ受信システムを提供することを目的とする。
【０００８】
【課題を解決するための手段】
上記目的を達成するために、この発明の第１の観点にかかるラジオデータ受信システムは、
予め定められたフォーマットでラジオ放送に多重化されて伝送される交通情報データを取得可能な放送局のリストを作成するリスト作成手段と、
前記リスト作成手段により作成されたリストに登録されている放送局を、選択可能に提示する放送局提示手段と、
ラジオ放送に多重化された交通情報データが抽出可能であることを検出するデータ検出手段と、
前記データ検出手段により交通情報データが抽出可能であることが検出された場合に、交通情報データを抽出するデータ抽出手段と、
前記データ抽出手段により抽出された交通情報データに基づく情報出力を実行する情報出力手段と、
前記放送局提示手段に提示されて選択された放送局から放送信号を受信するための受信動作を制御する受信制御手段とを備え、
前記受信制御手段は、前記データ抽出手段が交通情報データの抽出を開始した後、予め定められた受信継続時間が経過すると、前記リスト作成手段により作成されたリストを更新するためのシーク動作を実行する
ことを特徴とする。
【０００９】
この発明の第２の観点に係るラジオデータ受信システムは、
予め定められたフォーマットでラジオ放送に多重化されて伝送される交通情報データを取得可能な放送局のリストを作成するリスト作成手段と、
前記リスト作成手段により作成されたリストに登録されている放送局を、選択可能に提示する放送局提示手段と、
ラジオ放送に多重化された交通情報データが抽出可能であることを検出するデータ検出手段と、
前記データ検出手段により交通情報データが抽出可能であることが検出された場合に、交通情報データを抽出するデータ抽出手段と、
前記データ抽出手段により抽出された交通情報データに基づく情報出力を実行する情報出力手段と、
前記放送局提示手段に提示されて選択された放送局から放送信号を受信するための受信動作を制御する受信制御手段とを備え、
前記受信制御手段は、前記放送局提示手段に提示されて選択された放送局を受信対象としたときに前記データ検出手段により交通情報データが抽出可能であると検出されない場合に、選択された放送局に基づいて規定される所定の条件に合致する他の放送局を、前記リスト作成手段により作成されたリストにて検索し、条件に合致する他の放送局が登録されている場合に、当該他の放送局を受信対象として前記データ抽出手段に交通情報データを抽出させる
ことを特徴とする。
【００１０】
この発明の第３の観点に係るラジオデータ受信システムは、
予め定められたフォーマットでラジオ放送に多重化されて伝送される交通情報データを取得可能な放送局のリストを作成するリスト作成手段と、
前記リスト作成手段により作成されたリストに登録されている放送局を、選択可能に提示する放送局提示手段と、
ラジオ放送に多重化された交通情報データが抽出可能であることを検出するデータ検出手段と、
前記データ検出手段により交通情報データが抽出可能であることが検出された場合に、交通情報データを抽出するデータ抽出手段と、
前記データ抽出手段により抽出された交通情報データに基づく情報出力を実行する情報出力手段と、
前記放送局提示手段に提示されて選択された放送局から放送信号を受信するための受信動作を制御する受信制御手段とを備え、
前記受信制御手段は、前記放送局提示手段に提示されて選択された放送局を受信対象としたときに前記データ検出手段により交通情報データが抽出可能であると検出されない場合に、選択された放送局に基づいて規定される所定の条件に合致する他の放送局を、前記リスト作成手段により作成されたリストにて検索し、条件に合致する他の放送局が登録されていないと判別した場合、シーク動作を実行することにより当該条件に合致する放送局を検出し、検出できた場合に、前記データ抽出手段に交通情報データを抽出させる
ことを特徴とする。
【００１１】
前記受信制御手段は、所定の条件に合致する放送局を検出するためのシーク動作を開始した後、当該条件に合致する放送局を検出することなく予め定められたシーク継続時間が経過するとシーク動作を中断させ、前記リスト作成手段により作成されたリストを更新させ、更新されたリストに登録された放送局を前記放送局提示手段に提示させるものでもよい。
【００１２】
前記リスト作成手段は、予め作成された受信設定情報に示される少なくとも１つの交通情報データが提供されている放送局を、リストに登録するものでもよい。
【００１３】
交通情報データを抽出する旨の指令を前記受信制御手段に入力する入力手段を備え、
前記受信制御手段は、既に交通情報データ取得のため以外に放送を受信中である場合には、前記入力手段からの指令が入力されるまで、現状の放送受信動作を継続するものでもよい。
【００１４】
交通情報データは、ＲＤＳ（Ｒａｄｉｏ  Ｄａｔａ  Ｓｙｓｔｅｍ）のタイプ８Ａグループに含まれるＴＭＣ（Ｔｒａｆｆｉｃ  Ｍｅｓｓａｇｅ  Ｃｈａｎｎｅｌ）データであることが望ましい。
【００１５】
この発明の第４の観点にかかるデータ受信方法は、
ラジオデータ受信システムが交通情報を出力するためのデータ受信方法であって、
前記ラジオデータ受信システムが、
予め定められたフォーマットで放送信号に多重化されて伝送される交通情報データを取得可能な放送局のリストを作成し、
前記リストに登録された放送局を選択可能に提示し、
選択された放送局の放送信号から交通情報データを抽出可能であるか否かを判別し
交通情報データが抽出できないと判別した場合、選択された放送局に基づいて規定される所定の条件に合致する他の放送局が前記リストに登録されているか否かを判別し、
条件に合致する他の放送局が前記リストに登録されていると判別した場合、当該他の放送局の放送信号から交通情報データを抽出可能であるか否かを判別し、
選択された放送局の放送信号あるいは所定の条件に合致する他の放送局の放送信号から交通情報データが抽出できると判別した場合、その放送信号から交通情報データを抽出し
抽出した交通情報データに基づく情報出力を実行する
ことを特徴とする。
【００１６】
放送信号から交通情報データの抽出を開始した後、予め定められた受信継続時間が経過すると、シーク動作を実行することにより前記リストを更新するようにしてもよい。
【００１７】
所定の条件に合致する他の放送局が前記リストに登録されていないと判別した場合、シーク動作を実行することにより当該条件に合致する放送局を検出し、検出できた場合に、検出した放送局の放送信号から交通情報データを抽出することにより交通情報を出力するようにしてもよい。
【００１８】
所定の条件に合致する放送局を検出するためのシーク動作を開始した後、当該条件に合致する放送局を検出することなく予め定められたシーク継続時間が経過すると、前記リストを更新し、前記リストに登録された放送局を選択可能に提示するようにしてもよい。
【００１９】
既に交通情報データのための放送以外の放送を受信中である場合には、所定の操作部から交通情報データの取得指令が入力されるまで、現状の放送受信動作を継続させるようにしてもよい。
【００２０】
交通情報データは、ＲＤＳ（Ｒａｄｉｏ  Ｄａｔａ  Ｓｙｓｔｅｍ）のタイプ８Ａグループに含まれているＴＭＣ（Ｔｒａｆｆｉｃ  Ｍｅｓｓａｇｅ  Ｃｈａｎｎｅｌ）データであることが望ましい。
【００２１】
この発明の第５の観点にかかるプログラムは、
ラジオデータ受信システムとして機能するコンピュータに、
予め定められたフォーマットで放送信号に多重化されて伝送される交通情報データを取得可能な放送局のリストを作成するステップと、
前記リストに登録された放送局を選択可能に提示するステップと、
選択された放送局の放送信号から交通情報データを抽出可能であるか否かを判別するステップと、
交通情報データが抽出できないと判別した場合、選択された放送局に基づいて規定される所定の条件に合致する他の放送局が前記リストに登録されているか否かを判別するステップと、
条件に合致する他の放送局が前記リストに登録されていると判別した場合、当該他の放送局の放送信号から交通情報データを抽出可能であるか否かを判別するステップと、
選択された放送局の放送信号あるいは所定の条件に合致する他の放送局の放送信号から交通情報データが抽出できると判別した場合、その放送信号から交通情報データを抽出するステップと、
抽出した交通情報データに基づく情報出力を実行するステップとを備える処理を実行させる。
【００２２】
【発明の実施の形態】
以下に、図面を参照して、この発明の実施の形態に係るラジオデータ受信システムについて詳細に説明する。
【００２３】
図１は、この発明の実施の形態に係るラジオデータ受信システム１の一構成例を示す図である。図１に示すラジオデータ受信システム１は、ＦＭ受信装置２と、ナビゲーション装置３と、スピーカ４Ａ及び４Ｂとを備えて構成されている。
【００２４】
ＦＭ受信装置２は、ＦＭアナログ（音声）放送や、それに多重化されて放送されるＦＭデータ放送を受信するためのものである。ここで、ＦＭ受信装置２は、ＲＤＳの規格に則って予め定められたフォーマットで放送局から送信されるＴＭＣデータを、アナログのＦＭラジオ放送に多重化して伝送されたＲＤＳデータから抽出してナビゲーション装置３に供給する。
こうした機能を実現するために、図１に示すＦＭ受信装置２は、アンテナ１０と、ＦＭチューナ１１と、オーディオ復調器１２と、オーディオアンプ１３と、チューニング回路１４と、ＲＤＳデコーダ１５と、制御回路１６と、メモリ１７と、表示器１８と、操作キー／ボタン１９と、クロック回路２０とを備えている。
【００２５】
アンテナ１０は、放送局から無線にて伝送された周波数変調波を受信するために設けられ、アンテナ１０に到来した無線信号（電波）により誘起される電気信号をＦＭチューナ１１に伝送する。
【００２６】
ＦＭチューナ１１は、例えば周波数変換器（ダウンコンバータ）やＦＭ検波器等を備えて構成され、アンテナ１０から伝送された信号を中間周波数信号に変換して検波するなどして、受信周波数に対応する放送局から送信された放送信号（ベースバンド信号）を再生するためのものである。ＦＭチューナ１１により再生された放送信号は、オーディオ復調器１２とＲＤＳデコーダ１５とに送られる。
【００２７】
オーディオ復調器１２は、例えばノイズキャンセラ等を含み、ＦＭチューナ１１により再生された信号を受け、左チャンネルＬ用及び右チャンネルＲ用からなるオーディオ信号を復調するためのものである。オーディオ復調器１２により復調されたオーディオ信号は、オーディオアンプ１３にて増幅された後、左チャンネルＬ用と右チャンネルＲ用ごとに、スピーカ４Ａ及び４Ｂに供給される。例えば、左チャンネルＬ用のオーディオ信号はスピーカ４Ａに供給され、右チャンネルＲ用のオーディオ信号はスピーカ４Ｂに供給される。
【００２８】
チューニング回路１４は、例えば周波数シンセサイザ等を備えて構成され、制御回路１６からの制御データに従って、ＦＭチューナ１１における同調周波数の切換制御などを行うものである。例えば、チューニング回路１４は、制御回路１６からのシーク動作指令に応答して、ＦＭチューナ１１の同調周波数を所定周波数（例えば、０．１ＭＨｚ）単位で切り替え、放送局を検出するためのシーク動作を実行する。
【００２９】
ＲＤＳデコーダ１５は、例えばフィルタや位相ロックループ（ＰＬＬ；Ｐｈａｓｅ  Ｌｏｃｋｅｄ  Ｌｏｏｐ）回路、同期検出回路等を備えて構成され、ＦＭチューナ１１により再生された信号を受けて、ＲＤＳデータを含むＦＭ多重データを復元するためのものである。
【００３０】
制御回路１６は、マイクロプロセッサ等を用いて構成され、ユーザによる操作キー／ボタン１９の操作やＲＤＳデコーダ１５により復元されたＦＭ多重データ等に基づいて、ＦＭ受信装置２における各部位の動作を制御するためのものである。
【００３１】
図２は、制御回路１６における論理構成の一例を示す図である。図２に示す構成は、例えば制御回路１６がメモリ１７から所定の動作プログラムを読み出して実行することなどにより実現される。図２に示すように、制御回路１６は、受信状態検出切換部１６Ａと、リスト作成部１６Ｂと、交通情報データ検出部１６Ｃと、交通情報データ抽出部１６Ｄと、受信タイマ１６Ｅと、シークタイマ１６Ｆとを備えている。
【００３２】
受信状態検出切換部１６Ａは、ＦＭ受信装置２における受信状態を検出したり、受信周波数の切換動作を制御したりするためのものである。
リスト作成部１６Ｂは、ナビゲーション装置３から供給された受信設定情報で示されるＴＭＣデータが提供される放送局のリストを作成するためのものである。リスト作成部１６Ｂにより作成されたリストは、放送局リスト１７Ａとしてメモリ１７に記憶される。
交通情報データ検出部１６Ｃは、ＲＤＳデコーダ１５から制御回路１６に供給されたＦＭ多重データよりＴＭＣデータを抽出できることを検出するためのものである。
交通情報データ抽出部１６Ｄは、ＲＤＳデコーダ１５から制御回路１６に供給されたＦＭ多重データより、ＴＭＣデータを抽出するためのものである。交通情報データ抽出部１６Ｄにより抽出されたＴＭＣデータは、ナビゲーション装置３に転送される。
【００３３】
受信タイマ１６Ｅは、ＴＭＣデータを継続して受信する時間を計測するためのものであり、例えば制御回路１６にて設定されたＴＭＣ受信継続時間（例えば、３０分を、クロック回路２０から供給されるクロック信号に同期してカウントダウンする。
シークタイマ１６Ｆは、ユーザにより指定された放送局を探し出すためのシーク動作の継続時間を計測するためのものであり、例えば制御回路１６にて設定されたシーク継続時間（例えば、１０分）を、クロック回路２０から供給されるクロック信号に同期してカウントダウンする。
【００３４】
図１に戻って、メモリ１７は、例えばＲＯＭ（Ｒｅａｄ  Ｏｎｌｙ  Ｍｅｍｏｒｙ）やＲＡＭ（Ｒａｎｄｏｍ  Ａｃｃｅｓｓ  Ｍｅｍｏｒｙ）等の半導体メモリから構成され、制御回路１６が各種の処理を実行するための動作プログラムやデータを記憶するためのものである。具体的には、交通情報データとなるＴＭＣデータをＲＤＳデータから抽出してナビゲーション装置３に提供するための動作プログラムが、メモリ１７に記憶されている。また、メモリ１７には、リスト作成部１６Ｂにより作成された放送局リスト１７Ａが記憶される。
【００３５】
表示器１８は、例えば液晶ディスプレイパネル等から構成され、ＦＭ放送の受信に関連する情報を表示して出力するためのものである。例えば、表示器１８には、現在受信中である放送局の名前や受信周波数、受信したＲＤＳデータに基づく文字情報などが表示される。
【００３６】
操作キー／ボタン１９は、ユーザの操作に対応した指令を制御回路１６に入力するためのものである。また、操作キー／ボタン１９は、リモートコントローラからの赤外線信号に対応する指令を制御回路１６に入力する赤外線受信ユニット等を備えていてもよい。
【００３７】
クロック回路２０は、水晶発振器等を備えて構成され、制御回路１６の動作タイミングを規定するクロック信号を生成するためのものである。
【００３８】
ナビゲーション装置３は、音声の出力や画像の表示により経路案内や交通情報を提供する装置である。図１に示すナビゲーション装置３は、制御回路３１と、画像処理回路３２と、ディスプレイユニット３３と、音声処理回路３４と、ＧＰＳ受信機３５と、外部記録ユニット３６と、メモリ３７と、操作キー／ボタン３８とを備えている。
【００３９】
制御回路３１は、制御回路１６と同様にマイクロプロセッサ等から構成され、ユーザによる操作キー／ボタン３８の操作や外部記録ユニット３６から提供されたデータ、ＦＭ受信装置２から取得したデータなどに基づいて、ナビゲーション装置３の各部位における動作を制御するためのものである。
【００４０】
画像処理回路３２は、画像データを作成してディスプレイユニット３３に供給することにより、ディスプレイユニット３３における画像の表示動作を制御するためのものである。
ディスプレイユニット３３は、例えば液晶ディスプレイ装置等から構成され、ユーザに目的地までの経路案内や交通情報などを提供するのに適した画像を表示して出力するためのものである。
【００４１】
音声処理回路３４は、経路案内や交通情報を通知するための音声をスピーカ４Ａ、４Ｂなどから出力させる音声信号を生成するためのものである。
ＧＰＳ受信機３５は、ＧＰＳ（Ｇｌｏｂａｌ  Ｐｏｓｉｔｉｏｎｉｎｇ  Ｓｙｓｔｅｍ）用の人工衛星から伝送された無線信号を受信して、緯度や経度、高度などを示す位置情報を生成するためのものである。
外部記録ユニット３６は、制御回路３１の制御に従って外部記録媒体に記録された情報を読み出すためのものである。例えば、外部記録ユニット３６は、ＣＤ−ＲＯＭやＤＶＤといった光ディスクやＩＣメモリ等の外部記録媒体に記録された地図情報などを読み出して画像処理回路３２に供給することにより、ディスプレイユニット３３にて経路を案内するための地図を示す画像を表示可能とする。メモリ３７は、制御回路３１が各種の処理を実行するための動作プログラムやデータを記憶するためのものである。
操作キー／ボタン３８は、操作キー／ボタン１９と同様に、ユーザの操作に対応した指令を制御回路３１に入力するためのものである。また、操作キー／ボタン３８も、リモートコントローラからの赤外線信号に対応する指令を制御回路３１に入力する赤外線受信ユニット等を備えていてもよい。
【００４２】
以下に、この発明の実施の形態に係るラジオデータ受信システム１の動作を説明する。
図３〜５は、このラジオデータ受信システム１により実行される交通情報データ取得処理を示すフローチャートである。この交通情報データ取得処理は、ラジオデータ受信システム１の電源が投入された状態で、その実行が開始される。
【００４３】
交通情報データ取得処理を開始すると、ＦＭ受信装置２がナビゲーション装置３から、ユーザ（例えば、運転手）が受信を希望するＴＭＣデータに関する受信設定情報を取得する（図３、ステップＳ１）。この受信設定情報には、例えば、Ｃｏｕｎｔｒｙ  Ｃｏｄｅ、Ｌｏｃａｔｉｏｎ  Ｎｏ．及びＳｅｒｖｉｃｅ  ＩＤ等が含まれている。ここで、ナビゲーション装置３では、例えば、予め制御回路３１がユーザによる操作キー／ボタン３８の操作に応答して受信設定情報を作成しておく。ナビゲーション装置３にて作成された受信設定情報は、ＦＭ受信装置２からの要求に応答して、ナビゲーション装置３からＦＭ受信装置２に提供される。この受信設定情報は、所定の種類数（例えば、５件）以内のＴＭＣデータを受信するための設定（例えば、データの取得位置、利用するサービスのＩＤ等）を示している。ＦＭ受信装置２に送られた受信設定情報は、制御回路１６がメモリ１７に記憶させるなどして、ＦＭ受信装置２における以後の処理にて利用可能となる。
【００４４】
ＦＭ受信装置２の制御回路１６は、受信状態検出切換部１６Ａを起動し、ＦＭチューナ１１やオーディオ復調器１２、ＲＤＳデコーダ１５などの動作状態を監視することにより、ＦＭ受信装置２におけるラジオ放送の受信状態を検出する。この際、受信状態検出切換部１６Ａは、ＦＭアナログ放送やＴＭＣデータ以外のデータ放送等、他のラジオ放送を受信中であるか否かを判別する（ステップＳ２）。すなわち、受信状態検出切換部１６Ａは、情報ソースがラジオ放送の受信によるものとして既に設定されてしまっているか否かを判別する。
【００４５】
受信状態検出切換部１６Ａは、他のラジオ放送を受信していないと判別すると（ステップＳ２にてＮｏ）、チューニング回路１４にシーク動作指令を送り、受信設定情報に基づくシーク動作を開始させる。また、受信状態検出切換部１６Ａは、シーク動作中にＲＤＳデコーダ１５から送られるＦＭ多重データを交通情報データ検出部１６Ｃに供給し、ＦＭチューナ１１の同調周波数などを示す情報をリスト作成部１６Ｂに提供する。これにより、ＴＭＣデータを提供する放送局を示す放送局リスト１７Ａの作成動作が開始される（ステップＳ３）。以下、放送局リスト１７Ａの作成動作について、より具体的に説明する。
【００４６】
受信状態検出切換部１６Ａからシーク動作指令を受けたチューニング回路１４は、例えばＦＭチューナ１１の同調周波数を設定可能な最低の周波数から０．１ＭＨｚ単位で上昇させ、ＦＭチューナ１１による検波を試みる。この際、チューニング回路１４は、受信電界強度が所定の基準値未満である場合に、その受信周波数で受信可能な放送局はないとして、さらに０．１ＭＨｚだけＦＭチューナ１１の同調周波数を上昇させる。一方、受信電界強度が基準値に達している場合には、ＦＭチューナ１１にて検波された信号がＲＤＳデコーダ１５に送られ、ＦＭ多重データがＲＤＳデコーダ１５から制御回路１６に入力される。ＲＤＳデコーダ１５にてＦＭ多重データが復元されない場合にも、ＦＭチューナ１１の同調周波数が０．１ＭＨｚだけ上昇させられる。
【００４７】
ＲＤＳデコーダ１５から制御回路１６にＦＭ多重データが入力されると、交通情報データ検出部１６Ｃが受信設定情報で示されるＴＭＣデータ提供の有無を検出する。具体的には、交通情報データ検出部１６Ｃは、ＲＤＳデコーダ１５から送られたＦＭ多重データがＲＤＳデータである場合に、ＯＤＡ情報（ＲＤＳのタイプ３Ａグループで伝送されるＯｐｅｎ  Ｄａｔａ  Ａｐｐｌｉｃａｔｉｏｎ情報）を読み取る。交通情報データ検出部１６Ｃは、ＯＤＡ情報を読み取った結果に基づいて、受信設定情報で示されたＴＭＣデータが提供されているか否かを判別する。例えば、交通情報データ検出部１６Ｃは、ＯＤＡ情報から特定した番組識別（ＰＩ：Ｐｒｏｇｒａｍ  Ｉｄｅｎｔｉｆｉｃａｔｉｏｎ）コードが受信設定情報で示されたＰＩコードのいずれかと一致することなどを検出する。
この際、受信設定情報にて示されたＴＭＣデータが提供されていないと判別した場合、受信状態検出切換部１６Ａが直ちにチューニング回路１４へ指令を送り、ＦＭチューナ１１の同調周波数をさらに０．１ＭＨｚだけ上昇させる。
【００４８】
一方、受信設定情報にて示されたＴＭＣデータが提供されていると判別した場合、交通情報データ検出部１６Ｃがリスト作成部１６Ｂに、受信中の放送局を放送局リスト１７Ａに登録する旨を通知する。放送局の登録通知を受けたリスト作成部１６Ｂは、現在の受信周波数やＲＤＳデータから得られた放送局名（ＰＳ：Ｐｒｏｇｒａｍ  Ｓｅｒｖｉｃｅ  ｎａｍｅ）コードなどをメモリ１７の所定アドレスに記憶させるなどして、放送局リスト１７Ａに対して現在受信中の放送局を登録する。この後、受信状態検出切換部１６Ａからチューニング回路１４に指令が送られて、ＦＭチューナ１１の同調周波数がさらに０．１ＭＨｚだけ上昇させられる。ＦＭチューナ１１の同調周波数が上昇された後も、同様に動作することで、受信設定情報に適合する放送局が順次放送局リスト１７Ａに登録されてゆく。
ＦＭチューナ１１における同調周波数が設定可能な最高の周波数に達している場合には、放送局リスト１７Ａを作成するためのシーク動作を終了する。
このようにして、所定の周波数単位でＦＭチューナ１１の同調周波数を切り換えることによるシーク動作を実行し、放送局リスト１７Ａが作成される。
【００４９】
以上述べたような放送局リスト１７Ａの作成動作が完了すると、制御回路１６はメモリ１７から放送局リスト１７Ａを読み出し、これをナビゲーション装置３の制御回路３１に転送する。
【００５０】
放送局リスト１７Ａを受け取ったナビゲーション装置３の制御回路３１は、画像処理回路３２により、放送局リスト１７Ａに登録された放送局に関する情報をディスプレイユニット３３に表示して出力させる。この際、制御回路３１は、ディスプレイユニット３３に表示された放送局を、操作キー／ボタン３８の操作により選択可能に提示する。ユーザが操作キー／ボタン３８を操作し、放送局を選択して指定すると、その放送局の選択指令が制御回路３１からＦＭ受信装置２の制御回路１６に転送される。
【００５１】
ＦＭ受信装置２の制御回路１６は、ナビゲーション装置３から放送局の選択指令を取得したか否かを判別する（ステップＳ４）。放送局の選択指令を受けていないと判別した場合（ステップＳ４にてＮｏ）、上記ステップＳ３に処理をリターンして、放送局リスト１７Ａの作成動作を繰り返す。
【００５２】
一方、放送局の選択指令を受けたと判別した場合（ステップＳ４にてＹｅｓ）、受信状態検出切換部１６Ａがチューニング回路１４に、選択指令にて指定された放送局を受信するためのチューニング動作を指令する。チューニング動作指令を受けたチューニング回路１４は、ＦＭチューナ１１の同調周波数を制御して、ナビゲーション装置３から通知された放送局、すなわちユーザにより指定された放送局を、呼び出す（図４、ステップＳ５）。こうして、ユーザにより指定された放送局が受信対象となる。
【００５３】
この際、制御回路１６は受信タイマ１６Ｅに、所定時間（例えば、３０分）をＴＭＣ受信継続時間としてセットする（ステップＳ６）。また、ＲＤＳデコーダ１５からＦＭ多重データが制御回路１６に入力されると、交通情報データ検出部１６Ｃにより、ＴＭＣデータを受信できるか否かが判別される（ステップＳ７）。
【００５４】
ＴＭＣデータを受信できると判別されると（ステップＳ７にてＹｅｓ）、交通情報データ抽出部１６ＤがＲＤＳデータからＴＭＣデータを抽出する（ステップＳ８）。抽出されたＴＭＣデータは、ＦＭ受信装置２からナビゲーション装置３へ転送される。ナビゲーション装置３では、制御回路３１が所定の処理を実行するなどして、例えば画像処理回路３２や音声処理回路３４などの動作を制御することにより、ＴＭＣデータに基づく情報出力が実行される。また、制御回路３１は、ＦＭ受信装置２から転送されたＴＭＣデータをメモリ３７に記憶しておき、ユーザが操作キー／ボタン３８を操作したタイミングなど、適切なタイミングで画像や音声等による情報出力を実行してもよい。
【００５５】
交通情報データ抽出部１６ＤにてＴＭＣデータが抽出されているあいだ、制御回路１６は、クロック回路２０から供給されるクロック信号に基づいて受信タイマ１６Ｅをカウントダウンさせる（ステップＳ９）。こうして、ＴＭＣ受信継続時間が経過したか否かが判別される（ステップＳ１０）。ＴＭＣ受信継続時間が経過していないと判別されると（ステップＳ１０にてＮｏ）、上記ステップＳ７の処理にリターンして、ＴＭＣデータの抽出を継続する。
【００５６】
一方、ＴＭＣ受信継続時間が経過したと判別されると（ステップＳ１０にてＹｅｓ）、ＴＭＣデータの抽出が中断され、放送局リスト１７Ａを更新するためのシーク動作が実行される（ステップＳ１１）。ここでの放送局リスト１７Ａの更新動作は、上記ステップＳ３における放送局リスト１７Ａの作成動作と実質的に同一である。ただし、ＦＭチューナ１１により受信可能な周波数範囲を１回掃引して放送局リスト１７Ａを更新した時点で、放送局リスト１７Ａの更新動作は終了し、上記ステップＳ５に処理をリターンする。これにより、放送局リスト１７Ａが更新された後、ナビゲーション装置３からの選択指令で既に指定された放送局が再度呼び出され、中断していたＴＭＣデータの抽出が再開される。
【００５７】
ここで、放送局リスト１７Ａの更新動作が終了した後、上記ステップＳ５に処理をリターンするので、必然的に上記ステップＳ７の処理も実行され、現在の受信状態でＴＭＣデータを受信できるか否かが判別されることとなる。これにより、ＴＭＣデータを受信できない状態が長期間にわたって放置されることを防止し、情報案内のためのデータを効率よく取得して適切な情報を提供することができるようになる。
【００５８】
すなわち、上記ステップＳ７にて、ＴＭＣデータを受信することができないと判別されると（ステップＳ７にてＮｏ）、所定の保持時間（例えば、３０秒）だけ現在の受信状態を維持して、ＴＭＣデータが抽出可能となるのを待つ。保持時間経過後もＴＭＣデータを受信することができない場合には、制御回路１６が放送局リスト１７Ａを読み取り、放送局リスト１７Ａに登録されている放送局の中で、上記ステップＳ４にてナビゲーション装置３からの選択指令で指定された放送局（すなわち、ユーザにより指定された放送局）に基づいて規定される所定の条件に合致するものを検索する（図５、ステップＳ１２）。例えば、制御回路１６は、放送局リスト１７Ａを検索し、ユーザにより指定された放送局と、放送局名やＰＩコード等が一致するものを探し出す。
【００５９】
制御回路１６は、検索結果に基づいて、条件に合致する放送局があるか否かを判別する（ステップＳ１３）。条件に合致する放送局が存在すると判別した場合（ステップＳ１３にてＹｅｓ）、受信状態検出切換部１６Ａがチューニング回路１４に、その放送局を受信するためのチューニング動作を指令し、上記ステップＳ７に処理を移行させる。こうして、所定の条件に合致する放送局からＴＭＣデータを受信できるか否かが判別され、受信できる場合には、その放送局を受信対象として、ＴＭＣデータを取得するようにする。
【００６０】
一方、条件に合致する放送局が存在しないと判別した場合（ステップＳ１３にてＮｏ）、制御回路１６がシークタイマ１６Ｆに、所定時間（例えば、１０分）をシーク継続時間としてセットする（ステップＳ１４）。また、受信状態検出切換部１６Ａがチューニング回路１４にシーク動作指令を送り、ユーザにより指定された放送局を探索する（ステップＳ１５）。
【００６１】
制御回路１６は交通情報データ検出部１６Ｃにより、指定された放送局を検出できたか否かを判別する（ステップＳ１６）。放送局を検出できたと判別すると（ステップＳ１６にてＹｅｓ）、上記ステップＳ６に処理を移行して、受信タイマ１６ＥにＴＭＣ受信継続時間をセットした後、ＴＭＣデータを提供する放送局の受信状態となる。
【００６２】
一方、指定された放送局を検出できないと判別すると（ステップＳ１６にてＮｏ）、クロック回路２０から制御回路１６に供給されるクロック信号に基づいて、シークタイマ１６Ｆがカウントダウンされる（ステップＳ１７）。これにより、制御回路１６は、シーク継続時間が経過したか否かを判別し（ステップＳ１８）、経過していないと判別すると（ステップＳ１８にてＮｏ）、上記ステップＳ１５に処理をリターンして、ユーザにより指定された放送局を探索するためのシーク動作を継続する。一方、シーク継続時間が経過したと判別すると（ステップＳ１８にてＹｅｓ）、上記ステップＳ３に処理をリターンして、放送局リスト１７Ａの作成動作から再度やり直す。
【００６３】
また、受信状態検出切換部１６Ａは、上記ステップＳ２にて、既にＴＭＣデータのための放送以外のラジオ放送を受信中であると判別すると（ステップＳ２にてＹｅｓ）、現在受信中のラジオ放送に対する受信動作を継続させる。すなわち、他のラジオ放送を受信中である場合には、ラジオの音声出力あるいはＲＤＳの基本動作を優先させ、ＴＭＣデータを取得するために受信周波数を自動的に変更させることはしない。
これにより、情報案内が強制的に開始されることを回避し、ＦＭ音声放送やＴＭＣ以外のＲＤＳデータ放送の受聴、受信を重視しているユーザに違和感を与えないようにすることができる。
【００６４】
もっとも、既に他のラジオ放送を受信中である場合でも、ＦＭ受信装置２が備える操作キー／ボタン１９あるいはナビゲーション装置３が備える操作キー／ボタン３８をユーザが操作して、ＴＭＣデータを取得する旨の指令が入力される場合がある。この場合、受信状態検出切換部１６Ａは、上記ステップＳ３あるいはステップＳ５に処理を進めて、ＴＭＣデータを抽出するための処理を実行すればよい。
【００６５】
この際、制御回路１６は、交通情報データ検出部１６Ｃにより、受信設定情報から特定されるＴＭＣデータが現在受信中の放送局から提供されているか否かを判別する（ステップＳ１９）。すなわち、交通情報データ検出部１６Ｃは、ＲＤＳデコーダ１５から制御回路１６へのＲＤＳデータの入力の有無、及び、ＲＤＳデータが入力されている場合に読み取ったＯＤＡ情報などに基づいて、現在受信中の放送局から受信設定情報に示されるＴＭＣデータのいずれかを取得可能であるか否かを判別する。
【００６６】
ここで、受信設定情報に示されるＴＭＣデータが提供されていると判別すると（ステップＳ１９にてＹｅｓ）、交通情報データ抽出部１６ＤによりＲＤＳデータからＴＭＣデータが抽出され、ナビゲーション装置３に提供される（ステップＳ２０）。この後、上記ステップＳ１９に処理をリターンする。
一方、受信設定情報に示されるＴＭＣデータが現在受信中の放送局から提供されていないと判別すると（ステップＳ１９にてＮｏ）、交通情報データ取得処理を終了し、現在受信中のラジオ放送を継続して受信するようにする。
【００６７】
図６は、ラジオデータ受信システム１がＲＤＳデータを受信してＴＭＣデータを抽出するための動作の一例におけるタイムチャートである。
図６に示すタイムチャートにおいて、ラジオデータ受信システム１は、タイミングｔ１にて動作を開始し、交通情報データ取得処理を実行する。この後、他のラジオ放送を受信中でないことを確認して放送局リスト１７Ａを作成し（タイミングｔ１〜ｔ２）、タイミングｔ２にて、ユーザにより指定されたＴＭＣデータを提供する放送局を呼び出す。
【００６８】
タイミングｔ２にてユーザにより指定された放送局が存在して呼び出すことができた場合には、ＴＭＣ受信継続時間が経過するまでのあいだ（タイミングｔ２〜ｔ３）、ＴＭＣデータを抽出する。この後、タイミングｔ３にてＴＭＣ受信継続時間が経過したことを検出すると、シーク動作を１回実行して放送局リスト１７Ａを更新する（タイミングｔ３〜ｔ４）。放送局リスト１７Ａの更新が完了すると、再びＴＭＣデータを抽出し（タイミングｔ４〜ｔ５）、以後同様にして、ＴＭＣデータの抽出と放送局リスト１７Ａの更新とを繰り返す。
【００６９】
一方、タイミングｔ２にてユーザにより指定された放送局が存在せず呼び出すことができなかった場合、保持時間が経過するまでのあいだ（タイミングｔ２〜ｔ６）受信状態を保持し、放送局リスト１７Ａから所定の条件に合致する放送局を検索する（タイミングｔ６〜ｔ７）。ここでも適切な放送局が見つからなかった場合には、シーク継続時間が経過するまでのあいだ（タイミングｔ７〜ｔ８）、ユーザにより指定された放送局あるいはそれと同一条件の放送局を探索するためのシーク動作を実行する。タイミングｔ８にて放送局が見つからないままシーク継続時間が経過したことを検出すると、放送局リスト１７Ａを作成する動作に戻って、ユーザにより放送局が指定されるまで放送局リスト１７Ａの作成動作を継続する（タイミングｔ８〜）。
【００７０】
以上説明したように、この発明では、ＴＭＣ受信継続時間が経過するごとに放送局リスト１７Ａの更新動作を行うようにしている。また、ユーザにより指定された放送局からＴＭＣデータを取得することができない場合に、放送局リスト１７Ａに登録されて所定の条件に合致する放送局を受信対象として、ＴＭＣデータを取得するようにする。
これにより、ＴＭＣデータが受信できないまま長時間が経過してしまうことを防止し、交通に関する情報案内のためのＴＭＣデータを、効率よく取得することができる。
【００７１】
また、この発明では、既に他のラジオ放送を受信中となっている場合には、ＴＭＣデータの抽出のために受信周波数が自動的に切り換えられてしまうことを防止している。これにより、情報案内が強制的に開始されることを回避して、他のラジオ放送の受信を重視しているユーザにとっての妨害を除去することができ、ユーザの好みに応じた適切な情報を提供することができる。
【００７２】
この発明は、上記実施の形態に限定されず、様々な変形及び応用が可能である。
例えば、ＴＭＣ受信継続時間やシーク継続時間は、ＴＭＣデータの抽出や放送局の探索に適した任意の時間を設定することができる。
【００７３】
また、当初受信していたＴＭＣデータを受信できなくなったときには、ＲＤＳデータに含まれるＡＦ（代替周波数）データに基づいて、ユーザにより指定された放送局と同一内容を放送する他の放送局を探すようにしてもよい。この場合、例えば制御回路１６は、ＴＭＣデータが受信できているあいだに、予めＲＤＳデータに含まれるＡＦデータを取得しておく。この後、ＴＭＣデータが受信できなくなると、所定の保持時間だけ受信状態を維持した後、ＡＦデータに示される放送局の受信を試みるようチューニング回路１４に指令を送るようにすればよい。ここで、ＡＦデータに示される放送局からもＴＭＣデータを受信することができない場合には、上記実施の形態と同様に、放送局リスト１７Ａに登録されている放送局の検索や、シーク動作による放送局の探索を行うようにすればよい。
【００７４】
上記実施の形態では、ＦＭ受信装置２にて抽出されたＴＭＣデータをナビゲーション装置３に供給して情報出力を実行するものとして説明したが、この発明はこれに限定されるものではない。すなわち、例えばナビゲーション装置３に代えて、ノート型のパーソナルコンピュータやＰＤＡ（Ｐｅｒｓｏｎａｌ  Ｄｉｇｉｔａｌ  Ａｓｓｉｓｔａｎｔｓ）、携帯電話機等といった、表示機能や音声出力機能を備えたコンピュータシステムを使用し、ユーザによる放送局の選択やＴＭＣデータに基づく情報出力を実行するようにしてもよい。
【００７５】
この発明は、専用の装置によらず、通常のラジオデータ受信システムとして機能するコンピュータシステムを用いて実現可能である。例えば、コンピュータシステムを上述のラジオデータ受信システム１として機能させるために必要な動作プログラムの全部又は一部を、記録媒体（ＩＣメモリ、磁気ディスク、光ディスク、光磁気ディスク、磁気テープ等）に記録させ、該動作プログラムをインストールすることにより、上述のラジオデータ受信システム１を構成することができる。インストールによって、当該動作プログラムは、コンピュータシステム内のハードディスク装置等の記憶装置に記憶され、ＣＰＵ等のプロセッサによって読み出されて実行に供される。
【００７６】
また、インターネット等の通信ネットワーク上に設けたＦＴＰ（Ｆｉｌｅ  Ｔｒａｎｓｆｅｒ  Ｐｒｏｔｏｃｏｌ）サーバ上のファイルシステムに当該動作プログラムを登録し、ＦＴＰクライアントとなるコンピュータシステムにネットワークを介して配信するなどしてもよい。この動作プログラムをコンピュータシステムにて起動し、ＯＳ（Ｏｐｅｒａｔｉｎｇ  Ｓｙｓｔｅｍ）の制御下において実行することにより、上述の構成及び処理を実現することができる。さらに、通信ネットワークを介して動作プログラムを転送しながら起動実行してもよい。
【００７７】
【発明の効果】
このように、この発明によれば、交通に関する情報案内のためのデータを効率よく取得し、適切な情報を提供することができる。
【図面の簡単な説明】
【図１】この発明の実施の形態にかかるラジオデータ受信システムの一構成例を示す図である。
【図２】ＦＭ受信装置が備える制御回路における論理構成の一例を示す図である。
【図３】交通情報データ取得処理を示すフローチャートである。
【図４】交通情報データ取得処理を示すフローチャートである。
【図５】交通情報データ取得処理を示すフローチャートである。
【図６】ラジオデータ受信システムの動作の一例におけるタイムチャートである。
【符号の説明】
１    ラジオデータ受信システム
２    ＦＭ受信装置
３    ナビゲーション装置
４Ａ、４Ｂ    スピーカ
１０    アンテナ
１１    ＦＭチューナ
１２    オーディオ復調器
１３    オーディオアンプ
１４    チューニング回路
１５    ＲＤＳデコーダ
１６、３１    制御回路
１６Ａ    受信状態検出切換部
１６Ｂ    リスト作成部
１６Ｃ    交通情報データ検出部
１６Ｄ    交通情報データ抽出部
１６Ｅ    受信タイマ
１６Ｆ    シークタイマ
１７、３７    メモリ
１７Ａ    放送局リスト
１８    表示器
１９、３８    操作キー／ボタン
２０    クロック回路
３２    画像処理回路
３３    ディスプレイユニット
３４    音声処理回路
３５    ＧＰＳ受信機
３６    外部記録ユニット
【図１】
2004159106.tif 000003
【図２】
2004159106.tif 000004
【図３】
2004159106.tif 000005
【図４】
2004159106.tif 000006
【図５】
2004159106.tif 000007
【図６】
2004159106.tif 000008